(57)【特許請求の範囲】
【請求項１】
光軸を中心に回転する第１カム筒と、該第１カム筒の内側に配置され該第１カム筒とカム係合している第２カム筒と、を有するズームレンズ系であって、
前記第２カム筒が光線を貫通させる開口部を有し、
前記第２カム筒の前記開口部を通過して前記第１カム筒の内面で反射され、前記第２カム筒の前記開口部を通過する光線を遮断する虹彩絞り状遮光板を、前記第２カム筒上の前記開口部より被写体側に固定的に配置したことを特徴とするズームレンズ系。
【請求項２】
前記第２カム筒の開口部が、前記第２カム筒の内部に配置された部材を移動させるための駆動部材と前記第２カム筒との干渉を避けるための空隙であることを特徴とする請求項１に記載のズームレンズ系。
【請求項３】
前記第１カム筒の内面又は前記第２カム筒の外面に、凸カムが形成されており、前記第１カム筒の内面で反射されるべき光線が、前記第１カム筒の内面又は前記第２カム筒の外面に形成された前記凸カムが切れて無くなったところを通過することを特徴とする請求項１に記載のズームレンズ系。
【請求項４】
前記第２カム筒の開口部の一部が、カム溝であることを特徴とする請求項１に記載のズームレンズ系。
【発明の詳細な説明】
【技術分野】
【０００１】
本発明は、ズームレンズ系、さらに詳しくは、迷光すなわち正規の屈折や反射以外の要因で生じる結像に有害な光を除去して鮮明な結像を形成することができるズームレンズ系に関する。
【背景技術】
【０００２】
前記迷光の浸入を防ぐため、浸入した迷光の除去のため、あるいは鏡筒の内面の醜い部分を外部から見えないようにするために、虹彩絞り状の遮光板を鏡筒内に固定的に配置することが行われている。
【０００３】
他の迷光除去のための構成として、光軸方向に移動する第１の鏡枠部材と、この第１の鏡枠部材に対して相対的に接離する第２の鏡枠部材と、上記第１、および、第２の鏡枠部材間の漏光を阻止する遮光部材とを有するレンズ鏡筒であって、上記遮光部材は、上記第１、および、第２の鏡枠部材が近接したときに、上記光軸方向に変曲部を形成する弾性体であることを特徴とするレンズ鏡筒が提案されている（例えば、特許文献１参照）。
【０００４】
迷光除去のための他の構成として、第１のレンズ群、及び、第２のレンズ群の光軸方向における群間隔が相対的に変化するレンズ鏡筒であって、前記第１のレンズ群及び／又は前記第２のレンズ群に保持され、前記光軸方向において重なり合う複数の略筒状の遮光部材から成る遮光装置を備え、前記遮光装置は、前記群間隔に応じて、前記遮光部材同士の重なり量を変化させて、全体として伸縮自在としたこと、を特徴とする遮光装置を備えるレンズ鏡筒が提案されている（例えば、特許文献２参照）。
【０００５】
プラスチック製カムを使用したズームレンズ鏡筒においては、部品点数を削減するために、各レンズ群の移動を制御するためのカムをなるべく１つのカム筒部品に集約して配置する。すなわち、１つのプラスチック製カム筒に、複数の凸カム、カム溝、テーパーカム等を設けている。また、ズーミング等のカム筒を回転させる操作中に、コツンという作動コツ感の発生を回避するために、広角端から望遠端までのカム使用範囲内に、金型の合わせ目すなわちＰ．Ｌ（Parting  Line)が入らないように配慮する必要がある。
【０００６】
凸カムを使用した際には、カム筒部材の表面において、鏡筒カム部分とカムの無い部分において半径方向の段差が発生する。凸カムが筒全周に形成されれば、半径方向の段差により形成された隙間を通過する光を遮断して迷光の発生を回避することができる。
しかし実際には、前述したように作動範囲における金型の合わせ目すなわちＰ．Ｌが凸カムと交わることを避けるために、カム筒の全周にわたって凸カムを形成しない。従って、凸カムを形成したカム筒の面と該凸カムと係合する摺動コマを設けた筒部材の間に部分的に隙間が生じることになる。この隙間を通った光線が、直接又は鏡筒の内面に反射しフィルムやＣＣＤの結像面に達して、結像の鮮明さを劣化させることになる。
【０００７】
また、カム溝の両側面が互いに平行でなく断面が外に向かって拡大するテーパーカムを使用した場合、摺動コマをコイルバネ等を使用してカム面に押し付ける必要がある。この構造を組み込むために、摺動コマの径が太くなりカム溝の幅が必然的に大きくなってしまい、結果的に迷光が発生し易くなってしまう。
【０００８】
また、特許文献１等によって提案されている前記レンズ鏡筒は、１群レンズと２群レンズの間隔の変化が小さい場合には有効に作動する構成である。しかし、１群レンズと２群レンズの間隔の変化が大きくなると、遮光部材である弾性体を大きくする必要があり、弾性体の取り付けが困難になり、安定性が悪くなる。また、前記弾性体の変形の程度が大きくなり、変形した弾性体によって所定の遮光が不可能になる場合も想定される。
【０００９】
さらに、特許文献２等によって提案されている前記レンズ鏡筒においては、遮光部材を形成する複数の円錐状筒部材の重なりによって、必然的にそれを収める鏡筒の直径が大きくなってしまうという欠点がある。構成する円錐状筒部材の光軸方向の長さが１群レンズと２群レンズの最小レンズ間隔によって制限され、かつ最大レンズ間隔によって円錐状筒部材の数が決まることから、１群レンズと２群レンズのレンズ間隔の変化が大きい場合、この直径が大きくなるという好ましくない傾向が強くなる。
【００１０】
【特許文献１】特開平１１−８４１９８号公報
【特許文献２】特開２００３-６６３１５号公報
【発明の開示】
【発明が解決しようとする課題】
【００１１】
（発明の目的）
本発明は、従来のレンズ系、特にズーム操作や合焦操作のために鏡筒内でレンズが移動するズームレンズ系であって、簡易堅牢で故障のおそれのない構造で迷光を有効にかつ確実に除去することができるズームレンズ系を提供することを目的とする。
【課題を解決するための手段】
【００１２】
本発明は、
光軸を中心に回転する第１カム筒と、該第１カム筒の内側に配置され該第１カム筒とカム係合している第２カム筒と、を有するズームレンズ系であって、
前記第２カム筒が光線を貫通させる開口部を有し、
前記第２カム筒の前記開口部を通過して前記第１カム筒の内面で反射され、前記第２カム筒の前記開口部を通過する光線を遮断する虹彩絞り状遮光板を、前記第２カム筒上の前記開口部より被写体側に固定的に配置したことを特徴とするズームレンズ系
である。
【００１３】
本発明の実施形態は、前記第２カム筒の開口部が、前記第２カム筒の内部に配置された部材を移動させるための駆動部材と前記第２カム筒との干渉を避けるための空隙であることを特徴とする。
前記第１カム筒の内面又は前記第２カム筒の外面に、凸カムが形成されており、前記第１カム筒の内面で反射されるべき光線が、前記第１カム筒の内面又は前記第２カム筒の外面に形成された前記凸カムが切れて無くなったところを通過することを特徴とする。
前記第２カム筒の開口部の一部が、カム溝であることを特徴とする。
【発明の効果】
【００１４】
本発明に係るズーム操作や合焦操作のために鏡筒内でレンズが移動するズームレンズ系は、簡易堅牢で故障のおそれのない構造で迷光を有効にかつ確実に除去することができる効果を有する。
【発明を実施するための最良の形態】
【００１５】
以下に、本発明のズームレンズ系の最良の実施形態を図に基づいて説明する。
（第１実施形態）
ズームレンズ系１は、図１及び２に示すように、第１レンズ群１０、第２レンズ群１２、第３レンズ群１３、第４レンズ群１４を有する。レンズ鏡筒２０は、ズーム操作リング２２、合焦操作リング２４、及びカメラボデー（図示せず）に連結するためのマウント２６を有する。レンズ鏡筒２０はさらに、固定筒３０の内側に、ズーム操作リング２２に連結されて光軸中心に回転する第１カム筒３２、第１カム筒３２の内側に非回転で光軸に沿って摺動する第２カム筒３４、さらに第２カム筒３４の内側に非回転で光軸に沿って摺動する直進カム筒３６を有する。
【００１６】
第１カム筒３２の内面には、凸カム４０が設けられている。第２カム筒３４の外面には、図３に示すように、凸カム４０に係合するカムコマ４２が設けられている。第１カム筒３２には、図２に示すように、第３レンズ群カム溝４４が設けられている。直進カム筒３６の後端部は、第４レンズ群１４を支持している。第２カム筒３４は、図３に示すように、大きな３個の空隙６０を有している。第２カム筒３４の空隙６０は、第２カム筒３４が、第１カム筒３２の第３レンズ群カム溝４４に係合した第３カムピン６７の光軸方向の移動を第３レンズ群１３に伝達する連結部材５２と干渉しないように、及び直進カム筒３６の被写体側端部６８を光軸と直交する面内で位置決めする第２カム筒突出部７０と干渉しないように設けられている。
【００１７】
第２カム筒３４の被写体側端部には、ドーナツ板状固定開口絞りである虹彩絞り状遮光板６２が設けられている。虹彩絞り状遮光板６２が無かった場合、迷光Ｌが、第２カム筒３４の空隙６０を通過し、第１カム筒３２の内面で反射され、凸カム４０が無いところを通過し、第２カム筒３４の空隙６０を貫通する。虹彩絞り状遮光板６２は、この迷光Ｌを遮断する。虹彩絞り状遮光板６２の虹彩絞り孔６３の直径の決め方の１つは、望遠端部において像を形成するに有効な光線を遮断しない最大直径である。
【００１８】
（第２実施形態）
第２実施形態において、第１実施形態と同じ構成については、同一の符号を付してその説明を省略する。図４に示すように、第１カム筒３２の内面には、凸カム４０に代えてカムピン１００が設けられ、第２カム筒３４のカム溝１０２が設けられている。虹彩絞り状遮光板６２が無かった場合、迷光Ｌは，第２カム筒３４の空隙６０を通過し、第１カム筒３２の内面で反射され、カム溝１０２を貫通する。虹彩絞り状遮光板６２は、この迷光Ｌを遮断する。
【図面の簡単な説明】
【００１９】
【図１】図１は、本発明の第１実施形態のズームレンズ系の広角側端部の断面説明図である。
【図２】図２は、本発明の第１実施形態のズームレンズ系の望遠側端部の断面説明図である。
【図３】図３は、本発明の第１実施形態のズームレンズ系の第２カム筒の斜視図である。
【図４】図４は、本発明の第２実施形態のズームレンズ系の第２カム筒の一部の断面図である。
【符号の説明】
【００２０】
Ｌ              迷光
１              ズームレンズ系
１０            第１レンズ群
１２            第２レンズ群
１３            第３レンズ群
１４            第４レンズ群
２０            レンズ鏡筒
２２            ズーム操作リング
２４            合焦操作リング
２６            マウント
３０            固定筒
３２            第１カム筒
３４            第２カム筒
３６            直進カム筒
４０            凸カム
４２            カムコマ
４４            第３レンズ群カム溝
５０            第３レンズ群枠
５２            連結部材
６０            空隙
６２            虹彩絞り状遮光板
６３            虹彩絞り孔
【図１】
0004929512.tif 000002
【図２】
0004929512.tif 000003
【図３】
0004929512.tif 000004
【図４】
0004929512.tif 000005